(57)【要約】【課題】対応情報がメモリに記憶されていない媒体の最適な印刷方式を設定することである。【解決手段】媒体の種類と印刷方式との対応関係を示す対応情報を記憶するメモリと、前記メモリを参照し、印刷される媒体の種類に対応した前記印刷方式を選択し、選択された前記印刷方式に基づいて印刷データを生成する印刷データ生成部と、を備えている印刷制御装置において、前記対応情報が前記メモリに記憶されていない媒体の前記印刷方式を設定するためのパターンを、当該媒体に印刷することを特徴とする印刷制御装置【選択図】    図１８
2005138553.tif 000002
【特許請求の範囲】
【請求項１】
媒体の種類と印刷方式との対応関係を示す対応情報を記憶するメモリと、
前記メモリを参照し、印刷される媒体の種類に対応した前記印刷方式を選択し、選択された前記印刷方式に基づいて印刷データを生成する印刷データ生成部と、を備えている印刷制御装置において、
前記対応情報が前記メモリに記憶されていない媒体の前記印刷方式を設定するためのパターンを、当該媒体に印刷することを特徴とする印刷制御装置。
【請求項２】
請求項１に記載の印刷制御装置において、
前記印刷方式に応じて、媒体に印刷する際に用いられるインク量が異なることを特徴とする印刷制御装置。
【請求項３】
請求項２に記載の印刷制御装置において、
前記パターンは、複数あり、
それぞれのパターンを印刷する際に用いられるインクの量が異なることを特徴とする印刷制御装置。
【請求項４】
請求項３に記載の印刷制御装置において、
前記媒体に前記パターンの印刷を実行するか否かをユーザーに選択させるための画面を表示する表示部を備えていることを特徴とする印刷制御装置。
【請求項５】
請求項４に記載の印刷制御装置において、
前記表示部は、前記媒体に印刷された前記パターンに関する情報の中のいずれかひとつのパターンに関する情報を、ユーザーに選択させるためのパターン選択画面を表示することを特徴とする印刷制御装置。
【請求項６】
請求項５に記載の印刷制御装置において、
前記表示部は、前記パターンが印刷された前記媒体の種類に関する情報を、ユーザーに入力させるための入力画面を表示することを特徴とする印刷制御装置。
【請求項７】
請求項６に記載の印刷制御装置において、
前記メモリは、パターンと印刷方式との対応関係を示す情報をさらに記憶し、
前記メモリを参照して、前記パターン選択画面にて選択されたパターンに対応する前記印刷方式を設定することを特徴とする印刷制御装置。
【請求項８】
請求項７に記載の印刷制御装置において、
前記入力画面にて入力された媒体の種類に関する前記情報と、前記パターン選択画面にて選択されたパターンに対応する前記印刷方式と、の対応関係を示す対応情報を、前記メモリに記憶することを特徴とする印刷制御装置。
【請求項９】
請求項８に記載の印刷制御装置において、
前記対応情報は、前記表示部に表示されることを特徴とする印刷制御装置。
【請求項１０】
請求項１〜請求項９のいずれかに記載の印刷制御装置において、
前記媒体は、記憶媒体であることを特徴とする印刷制御装置。
【請求項１１】
請求項１０に記載の印刷制御装置において、
前記記憶媒体は、ＣＤ−ＲＯＭであることを特徴とする印刷制御装置。
【請求項１２】
請求項１１に記載の印刷制御装置において、
前記パターンは、複数あり、
前記パターンは、前記ＣＤ−ＲＯＭの印刷面に環状に印刷されることを特徴とする印刷制御装置。
【請求項１３】
媒体の種類と印刷方式との対応関係を示す対応情報を記憶するメモリと、
前記メモリを参照し、印刷される媒体の種類に対応した前記印刷方式を選択し、選択された前記印刷方式に基づいて印刷データを生成する印刷データ生成部と、を備えている印刷制御装置において、
前記対応情報が前記メモリに記憶されていない媒体の前記印刷方式を設定するためのパターンを、当該媒体に印刷し、
前記印刷方式に応じて、媒体に印刷する際に用いられるインク量が異なり、
前記パターンは、複数あり、それぞれのパターンを印刷する際に用いられるインクの量が異なり、
前記媒体に前記パターンの印刷を実行するか否かをユーザーに選択させるための画面を表示する表示部を備え、
前記表示部は、前記媒体に印刷された前記パターンに関する情報の中のいずれかひとつのパターンに関する情報を、ユーザーに選択させるためのパターン選択画面を表示し、
前記表示部は、前記パターンが印刷された前記媒体の種類に関する情報を、ユーザーに入力させるための入力画面を表示し、
前記メモリは、パターンと印刷方式との対応関係を示す情報をさらに記憶し、前記メモリを参照して、前記パターン選択画面にて選択されたパターンに対応する前記印刷方式を設定し、
前記入力画面にて入力された媒体の種類に関する前記情報と、前記パターン選択画面にて選択されたパターンに対応する前記印刷方式と、の対応関係を示す対応情報を、前記メモリに記憶し、
前記対応情報は、前記表示部に表示され、
前記媒体は、記憶媒体であり、
前記記憶媒体は、ＣＤ−ＲＯＭであり、
前記パターンは、前記ＣＤ−ＲＯＭの印刷面に環状に印刷されることを特徴とする印刷制御装置。
【請求項１４】
媒体の種類と印刷方式との対応関係を示す対応情報を記憶するメモリと、前記メモリを参照し、印刷される媒体の種類に対応した前記印刷方式を選択し、選択された前記印刷方式に基づいて印刷データを生成する印刷データ生成部と、を備えている印刷制御装置、及び、
この印刷制御装置に接続可能な印刷装置であって、前記印刷データに基づいて前記媒体に印刷を実行する印刷装置、
を有する印刷制御システムにおいて、
前記対応情報が前記メモリに記憶されていない媒体の前記印刷方式を設定するためのパターンを、当該媒体に印刷することを特徴とする印刷制御システム。
【請求項１５】
媒体の種類と印刷方式との対応関係を示す対応情報を参照するステップと、
前記対応情報に基づいて、印刷される媒体の種類に対応した前記印刷方式を選択するステップと、
選択された前記印刷方式に基づいて印刷データを生成するステップと、
を有する印刷制御方法において、
前記対応情報が前記メモリに記憶されていない媒体の前記印刷方式を設定するためのパターンを当該媒体に印刷するステップ、をさらに有することを特徴とする印刷制御方法。
【請求項１６】
請求項１５に記載の印刷制御方法において、
ローラが前記媒体に印刷された前記パターン上を転がった際の、前記パターン上の前記ローラの痕の有無に応じて、前記媒体の前記印刷方式を設定するステップ、をさらに有することを特徴とする印刷制御方法。
【請求項１７】
請求項１５に記載の印刷制御方法において、
前記パターンは、二つの接する領域から形成されており、
前記領域は、それぞれ異なるインクを用いて前記媒体に印刷されており、
前記領域の境界部のインクの状態に応じて、前記媒体の前記印刷方式を設定するステップ、をさらに有することを特徴とする印刷制御方法。
【請求項１８】
請求項１５に記載の印刷制御方法において、
前記パターンは、インクを用いて前記媒体に印刷されており、
前記媒体に印刷された前記パターン上のインクの凝集に応じて、前記媒体の前記印刷方式を設定するステップ、をさらに有することを特徴とする印刷制御方法。
【発明の詳細な説明】
【技術分野】
【０００１】
本発明は、印刷制御装置、印刷制御システム、及び、印刷制御方法に関する。
【背景技術】
【０００２】
印刷制御装置として、例えば、媒体の種類と印刷方式との対応関係を示す対応情報を記憶するメモリと、前記メモリを参照し、印刷される媒体の種類に対応した前記印刷方式を選択し、選択された前記印刷方式に基づいて印刷データを生成する印刷データ生成部と、を備えている印刷制御装置がある。
【特許文献１】特開２００２−１０３５８２号公報
【発明の開示】
【発明が解決しようとする課題】
【０００３】
上記の印刷制御装置においては、対応情報がメモリに記憶されている媒体を印刷する場合には、印刷データ生成部は対応情報中の印刷方式に基づいて印刷データを生成する。一方、対応情報がメモリに記憶されていない媒体を印刷する場合には、印刷データ生成部は、所定の印刷方式に基づいて印刷データを生成する。
【０００４】
しかしながら、この所定の印刷方式が、媒体にとって最適な印刷方式でないことがある。例えば、対応情報がメモリに記憶されていない媒体が、インク量が多い印刷方式に対応できる媒体であっても、印刷制御装置は、当該媒体を、所定の印刷方式であるインク量が少ない印刷方式に設定してしまう。そして、上記のような最適でない印刷方式に基づいて、印刷データ制御部が印刷データを生成してしまう。
【０００５】
本発明は、かかる課題に鑑みてなされたものであり、その目的とするところは、対応情報がメモリに記憶されていない媒体の最適な印刷方式を設定することである。
【課題を解決するための手段】
【０００６】
主たる本発明は、媒体の種類と印刷方式との対応関係を示す対応情報を記憶するメモリと、前記メモリを参照し、印刷される媒体の種類に対応した前記印刷方式を選択し、選択された前記印刷方式に基づいて印刷データを生成する印刷データ生成部と、を備えている印刷制御装置において、前記対応情報が前記メモリに記憶されていない媒体の前記印刷方式を設定するためのパターンを、当該媒体に印刷することを特徴とする印刷制御装置である。
【０００７】
本発明の他の特徴については、本明細書及び添付図面の記載により明らかにする。
【発明の効果】
【０００８】
本発明によれば、媒体に印刷されたパターンを基に、媒体の最適な印刷方式を決定することができるから、対応情報がメモリに記憶されていない媒体の最適な印刷方式を設定することが可能となる。
【発明を実施するための最良の形態】
【０００９】
本明細書及び添付図面の記載により少なくとも次のことが明らかにされる。
【００１０】
媒体の種類と印刷方式との対応関係を示す対応情報を記憶するメモリと、前記メモリを参照し、印刷される媒体の種類に対応した前記印刷方式を選択し、選択された前記印刷方式に基づいて印刷データを生成する印刷データ生成部と、を備えている印刷制御装置において、
前記対応情報が前記メモリに記憶されていない媒体の前記印刷方式を設定するためのパターンを、当該媒体に印刷することを特徴とする印刷制御装置。  
このような印刷制御装置によれば、媒体に印刷されたパターンを基に、媒体の最適な印刷方式を決定することができるから、対応情報がメモリに記憶されていない媒体の最適な印刷方式を設定することが可能となる。
【００１１】
また、かかる印刷制御装置において、前記印刷方式に応じて、媒体に印刷する際に用いられるインク量が異なることとしてもよい。  
媒体毎に、インクの吸収性が異なることが多いため、最適なインク量も異なる場合が多い。そのため、上記のような印刷制御装置によれば、媒体にとって最適なインク量の印刷方式を設定することが可能となる。
【００１２】
また、かかる印刷制御装置において、前記パターンは、複数あり、それぞれのパターンを印刷する際に用いられるインクの量が異なることとしてもよい。  
このような印刷制御装置によれば、インクの量が異なる複数のパターンの中から、最適な印刷方式に対応するパターンを選ぶことができる。
【００１３】
また、かかる印刷制御装置において、前記媒体に前記パターンの印刷を実行するか否かをユーザーに選択させるための画面を表示する表示部を備えていることとしてもよい。  
このような印刷制御装置によれば、ユーザーにパターンの印刷の実行を簡単に選択させることができる。
【００１４】
また、かかる印刷制御装置において、前記表示部は、前記媒体に印刷された前記パターンに関する情報の中のいずれかひとつのパターンに関する情報を、ユーザーに選択させるためのパターン選択画面を表示することとしてもよい。  
このような印刷制御装置によれば、媒体に印刷された複数のパターンの中の最適なパターンを、ユーザーに選択させることが可能となる。
【００１５】
また、かかる印刷制御装置において、前記表示部は、前記パターンが印刷された前記媒体の種類に関する情報を、ユーザーに入力させるための入力画面を表示することとしてもよい。  
このような印刷制御装置によれば、パターンが印刷された媒体の種類と、印刷されたパターンの中で最適なパターンと、の対応関係を関連付けることが可能となる。
【００１６】
また、かかる印刷制御装置において、前記メモリは、パターンと印刷方式との対応関係を示す情報をさらに記憶し、前記メモリを参照して、前記パターン選択画面にて選択されたパターンに対応する前記印刷方式を設定することとしてもよい。  
このような印刷制御装置によれば、メモリを参照してパターン選択画面にて選択されたパターンに対応する印刷方式を設定するから、対応情報がメモリに記憶されていない媒体の印刷方式をより容易に設定することができる。
【００１７】
また、かかる印刷制御装置において、前記入力画面にて入力された媒体の種類に関する前記情報と、前記パターン選択画面にて選択されたパターンに対応する前記印刷方式と、の対応関係を示す対応情報を、前記メモリに記憶することとしてもよい。  
このような印刷制御装置によれば、一度対応情報をメモリに記憶すれば、再度、媒体にパターンを印刷する必要がなくなる。
【００１８】
また、かかる印刷制御装置において、前記対応情報は、前記表示部に表示されることとしてもよい。  
このような印刷制御装置によれば、対応情報が表示部に表示されるから、対応情報がメモリに記憶されていることを、ユーザーに知らせることができる。
【００１９】
また、かかる印刷制御装置において、前記媒体は、記憶媒体であることとしてもよい。  
このような印刷制御装置によれば、対応情報がメモリに記憶されていない媒体が記憶媒体である場合であっても、該記憶媒体の最適な印刷方式を設定することが可能となる。
【００２０】
また、かかる印刷制御装置において、前記記憶媒体は、ＣＤ−ＲＯＭであることとしてもよい。  
ＣＤ−ＲＯＭは、その表面のラベルに印刷される。しかし、ＣＤ−ＲＯＭの種類が異なる場合には、このラベルの特性（例えば、インクの吸収性）等が異なることが多く、各ＣＤ−ＲＯＭ毎に最適な印刷モードも異なることが多い。そのため、上記のような印刷制御装置によれば、対応情報がメモリに記憶されていないＣＤ−ＲＯＭの最適な印刷方式を設定することが可能となる。
【００２１】
また、かかる印刷制御装置において、前記パターンは複数あり、前記パターンは、前記ＣＤ−ＲＯＭの印刷面に環状に印刷されることとしてもよい。  
ＣＤ−ＲＯＭの形状は、円形である。そのため、上記のような印刷制御装置によれば、ＣＤ−ＲＯＭの印刷面を有効に活用することができる。
【００２２】
さらに、媒体の種類と印刷方式との対応関係を示す対応情報を記憶するメモリと、前記メモリを参照し、印刷される媒体の種類に対応した前記印刷方式を選択し、選択された前記印刷方式に基づいて印刷データを生成する印刷データ生成部と、を備えている印刷制御装置において、
前記対応情報が前記メモリに記憶されていない媒体の前記印刷方式を設定するためのパターンを、当該媒体に印刷し、
前記印刷方式に応じて、媒体に印刷する際に用いられるインク量が異なり、
前記パターンは、複数あり、それぞれのパターンを印刷する際に用いられるインクの量が異なり、
前記媒体に前記パターンの印刷を実行するか否かをユーザーに選択させるための画面を表示する表示部を備え、
前記表示部は、前記媒体に印刷された前記パターンに関する情報の中のいずれかひとつのパターンに関する情報を、ユーザーに選択させるためのパターン選択画面を表示し、
前記表示部は、前記パターンが印刷された前記媒体の種類に関する情報を、ユーザーに入力させるための入力画面を表示し、
前記メモリは、パターンと印刷方式との対応関係を示す情報をさらに記憶し、前記メモリを参照して、前記パターン選択画面にて選択されたパターンに対応する前記印刷方式を設定し、
前記入力画面にて入力された媒体の種類に関する前記情報と、前記パターン選択画面にて選択されたパターンに対応する前記印刷方式と、の対応関係を示す対応情報を、前記メモリに記憶し、
前記対応情報は、前記表示部に表示され、
前記媒体は、記憶媒体であり、
前記記憶媒体は、ＣＤ−ＲＯＭであり、
前記パターンは、前記ＣＤ−ＲＯＭの印刷面に環状に印刷されることを特徴とする印刷制御装置。
【００２３】
さらに、媒体の種類と印刷方式との対応関係を示す対応情報を記憶するメモリと、前記メモリを参照し、印刷される媒体の種類に対応した前記印刷方式を選択し、選択された前記印刷方式に基づいて印刷データを生成する印刷データ生成部と、を備えている印刷制御装置、及び、この印刷制御装置に接続可能な印刷装置であって、前記印刷データに基づいて前記媒体に印刷を実行する印刷装置、を有する印刷制御システムにおいて、
前記対応情報が前記メモリに記憶されていない媒体の前記印刷方式を設定するためのパターンを、当該媒体に印刷することを特徴とする印刷制御システム。
【００２４】
さらに、媒体の種類と印刷方式との対応関係を示す対応情報を参照するステップと、前記対応情報に基づいて、印刷される媒体の種類に対応した前記印刷方式を選択するステップと、選択された前記印刷方式に基づいて印刷データを生成するステップと、を有する印刷制御方法において、
前記対応情報が前記メモリに記憶されていない媒体の前記印刷方式を設定するためのパターンを当該媒体に印刷するステップ、をさらに有することを特徴とする印刷制御方法。
【００２５】
また、かかる印刷制御方法において、ローラが前記媒体に印刷された前記パターン上を転がった際の、前記パターン上の前記ローラの痕の有無に応じて、前記媒体の前記印刷方式を設定するステップ、をさらに有することとしてもよい。  
このような印刷制御方法によれば、パターン上のローラの痕の有無を検査することで、最適なパターンを選ぶことが可能となる。
【００２６】
また、かかる印刷制御方法において、前記パターンは、二つの接する領域から形成されており、前記領域は、それぞれ異なるインクを用いて前記媒体に印刷されており、前記領域の境界部のインクの状態に応じて、前記媒体の前記印刷方式を設定するステップ、をさらに有することとしてもよい。  
このような印刷制御方法によれば、二つの領域の境界部のインクの滲みを検査することで、最適なパターンを選ぶことが可能となる。
【００２７】
また、かかる印刷制御方法において、前記パターンは、インクを用いて前記媒体に印刷されており、前記媒体に印刷された前記パターン上のインクの凝集に応じて、前記媒体の前記印刷方式を設定するステップ、をさらに有することとしてもよい。  
このような印刷制御方法によれば、媒体上のインクの凝集の有無を検査することで、最適なパターンを選ぶことが可能となる。
【００２８】
＝＝＝印刷システムの構成＝＝＝
次に、印刷制御システムの一例である印刷システム（コンピュータシステム）の実施形態について、図面を参照しながら説明する。ただし、以下の実施形態の記載には、コンピュータプログラム、及び、コンピュータプログラムを記録した記録媒体等に関する実施形態も含まれている。
【００２９】
図１は、印刷システムの外観構成を示した説明図である。この印刷システム１００は、印刷装置の一例であるプリンタ１と、印刷制御装置の一例であるコンピュータ１１０と、表示部の一例である表示装置１２０と、入力装置１３０と、記録再生装置１４０とを備えている。
【００３０】
プリンタ１は、紙Ｓ、記憶媒体の一例であるＣＤ−ＲＯＭ（Compact disc read-only memory）としてのＣＤ−Ｒ（Compact disc recordable）、布、フィルム等の媒体に画像を印刷する印刷装置である。コンピュータ１１０は、プリンタ１と電気的に接続されており、プリンタ１に画像を印刷させるため、印刷させる画像に応じた印刷データをプリンタ１に出力する。表示装置１２０は、ディスプレイを有し、アプリケーションプログラムやプリンタドライバ等のユーザーインタフェースを表示する。入力装置１３０は、例えばキーボード１３０Ａやマウス１３０Ｂであり、表示装置１２０に表示されたユーザーインタフェースに沿って、アプリケーションプログラムの操作やプリンタドライバの設定等に用いられる。記録再生装置１４０は、例えばフレキシブルディスクドライブ装置１４０ＡやＣＤ−ＲＯＭドライブ装置１４０Ｂが用いられる。
【００３１】
コンピュータ１１０には、印刷データ生成部の一例であるプリンタドライバがインストールされている。プリンタドライバは、表示装置１２０にユーザーインタフェースを表示させる機能を実現させるほか、アプリケーションプログラムから出力された画像データを印刷データに変換する機能を実現させるためのプログラムである。このプリンタドライバは、フレキシブルディスクＦＤやＣＤ−ＲＯＭなどの記録媒体（コンピュータ読み取り可能な記録媒体）に記録されている。または、このプリンタドライバは、インターネットを介してコンピュータ１１０にダウンロードすることも可能である。なお、このプログラムは、各種の機能を実現するためのコードから構成されている。
【００３２】
＝＝＝プリンタドライバ＝＝＝
＜プリンタドライバについて＞
図２は、プリンタドライバが行う基本的な処理の概略的な説明図である。既に説明された構成要素については、同じ符号を付しているので、説明を省略する。
【００３３】
コンピュータ１１０では、コンピュータに搭載されたオペレーティングシステムの下、ビデオドライバ１１２やアプリケーションプログラム１１４やプリンタドライバ１１６などのコンピュータプログラムが動作している。
【００３４】
ビデオドライバ１１２は、アプリケーションプログラム１１４やプリンタドライバ１１６からの表示命令に従って、例えば、ユーザーインターフェース等を表示装置１２０に表示する機能を有する。アプリケーションプログラム１１４は、例えば、画像編集などを行う機能を有し、画像に関するデータ（画像データ）を作成する。ユーザーは、アプリケーションプログラム１１４のユーザーインターフェースを介して、アプリケーションプログラム１１４により編集した画像を印刷する指示を与えることができる。アプリケーションプログラム１１４は、印刷の指示を受けると、プリンタドライバ１１６に画像データを出力する。
【００３５】
プリンタドライバ１１６は、アプリケーションプログラム１１４から画像データを受け取り、この画像データを印刷データに変換し、印刷データをプリンタに出力する。ここで、印刷データとは、プリンタ１が解釈できる形式のデータであって、各種のコマンドデータと画素データとを有するデータである。ここで、コマンドデータとは、プリンタに特定の動作の実行を指示するためのデータである。また、画素データとは、印刷される画像（印刷画像）を構成する画素に関するデータであり、例えば、ある画素に対応する紙Ｓ上の位置に形成されるドットに関するデータ（ドットの色や大きさ等のデータ）である。
【００３６】
プリンタドライバ１１６は、アプリケーションプログラム１１４から出力された画像データを印刷データに変換するため、解像度変換処理・色変換処理・ハーフトーン処理・ラスタライズ処理などを行う。以下に、プリンタドライバ１１６が行う各種の処理について説明する。
【００３７】
解像度変換処理は、アプリケーションプログラム１１４から出力された画像データ（テキストデータ、イメージデータなど）を、紙Ｓに印刷する際の解像度に変換する処理である。例えば、紙Ｓに画像を印刷する際の解像度が７２０×７２０ｄｐｉに指定されている場合、アプリケーションプログラム１１４から受け取った画像データを７２０×７２０ｄｐｉの解像度の画像データに変換する。なお、解像度変換処理後の画像データは、ＲＧＢ色空間により表される多階調（例えば２５６階調）のＲＧＢデータである。以下、画像データを解像度変換処理したＲＧＢデータをＲＧＢ画像データと呼ぶ。
【００３８】
色変換処理は、ＲＧＢデータをＣＭＹＫ色空間により表されるＣＭＹＫデータに変換する処理である。なお、ＣＭＹＫデータは、プリンタ１が有するインクの色に対応したデータである。この色変換処理は、ＲＧＢ画像データの階調値とＣＭＹＫ画像データの階調値とを対応づけたテーブル（色変換ルックアップテーブルＬＵＴ）をプリンタドライバ１１６が参照することによって行われる。この色変換処理により、各画素についてのＲＧＢデータが、インク色に対応するＣＭＹＫデータに変換される。なお、色変換処理後のデータは、ＣＭＹＫ色空間により表される２５６階調のＣＭＹＫデータである。以下、ＲＧＢ画像データを色変換処理したＣＭＹＫデータをＣＭＹＫ画像データと呼ぶ。
【００３９】
ハーフトーン処理は、高階調数のデータを、プリンタが形成可能な階調数のデータに変換する処理である。例えば、ハーフトーン処理により、２５６階調を示すデータが、２階調を示す１ビットデータや４階調を示す２ビットデータに変換される。ハーフトーン処理では、ディザ法・γ補正・誤差拡散法などを利用して、プリンタ１がドットを分散して形成できるように画素データを作成する。
【００４０】
プリンタドライバ１１６は、ハーフトーン処理を行うとき、ディザ法を行う場合にはディザテーブルを参照し、γ補正を行う場合にはガンマテーブルを参照し、誤差拡散法を行う場合は拡散された誤差を記憶するための誤差メモリを参照する。ハーフトーン処理されたデータは、前述のＲＧＢデータと同等の解像度（例えば７２０×７２０ｄｐｉ）を有している。ハーフトーン処理されたデータは、例えば、各画素につき１ビット又は２ビットのデータから構成される。以下、ハーフトーン処理されたデータのうち、１ビットデータのものを２値データと呼び、２ビットデータのものを多値データと呼ぶ。
【００４１】
ラスタライズ処理は、マトリクス状の画像データを、プリンタ１に転送すべきデータ順に変更する処理である。ラスタライズ処理されたデータは、印刷データに含まれる画素データとして、プリンタ１に出力される。
【００４２】
＜プリンタドライバの設定について＞
図３は、プリンタドライバのユーザインターフェースの説明図である。このプリンタドライバのユーザインターフェースは、ビデオドライバ１１２を介して、表示装置に表示される。ユーザーは、入力装置１３０を用いて、プリンタドライバの各種の設定を行うことができる。
【００４３】
ユーザーは、この画面上から、印刷モードを選択することができる。例えば、ユーザーは、印刷モードとして、高速印刷モード又はファイン印刷モードを選択することができる。そして、プリンタドライバ１１６は、選択された印刷モードに応じた形式になるように、画像データを印刷データに変換する。  
また、ユーザーは、この画面上から、印刷の解像度（印刷するときのドットの間隔）を選択することができる。例えば、ユーザーは、この画面上から、印刷の解像度として７２０ｄｐｉや３６０ｄｐｉを選択することができる。そして、プリンタドライバ１１６は、選択された解像度に応じて解像度変換処理を行い、画像データを印刷データに変換する。
【００４４】
また、ユーザーは、この画面上から、印刷に用いられる印刷紙ＳやＣＤ−Ｒを選択することができる。例えば、ユーザーは、印刷紙Ｓとして、普通紙や光沢紙を選択することができる。また、ユーザーは、ＣＤ−Ｒのメーカー名や型番等を選択することができる不図示の画面（以下、「ＣＤ−Ｒ選択画面」とも呼ぶ）上で、ＣＤ−Ｒの種類を選択することができる。ＣＤ−Ｒ選択画面は、図３に示す画面上で、ＣＤ−Ｒを選択し、ＣＤ−Ｒ選択画面を表示させるためのボタン上にマウス１３０Ｂを移動させて、マウス１３０Ｂをクリックすることによって、表示装置１２０に表示される。
【００４５】
なお、紙Ｓの種類（紙種）やＣＤ−Ｒの種類が異なれば、インクの滲み方や乾き方も異なるため、印刷に適したインク量も異なる。そのため、プリンタドライバ１１６は、選択された紙種やＣＤ−Ｒの種類に応じて、画像データを印刷データに変換する。
【００４６】
このように、プリンタドライバは、ユーザインターフェースを介して設定された条件に従って、画像データを印刷データに変換する。なお、ユーザーは、この画面上から、プリンタドライバの各種の設定を行うことができるほか、カートリッジ内のインクの残量を知ること等もできる。
【００４７】
＝＝＝プリンタの概要＝＝＝
＜＜＜インクジェットプリンタの構成について＞＞＞
図４は、本実施形態のプリンタの全体構成のブロック図である。また、図５は、本実施形態のプリンタの全体構成の概略図である。また、図６は、本実施形態のプリンタの全体構成の横断面図である。以下、本実施形態のプリンタの基本的な構成について説明する。
【００４８】
本実施形態のプリンタは、搬送ユニット２０、キャリッジユニット３０、ヘッドユニット４０、検出器群５０、およびコントローラ６０を有する。外部装置であるコンピュータ１１０から印刷データを受信したプリンタ１は、コントローラ６０によって各ユニット（搬送ユニット２０、キャリッジユニット３０、ヘッドユニット４０）を制御する。コントローラ６０は、コンピュータ１１０から受信した印刷データに基づいて、各ユニットを制御し、紙Ｓに画像を形成する。プリンタ１内の状況は検出器群５０によって監視されており、検出器群５０は、検出結果をコントローラ６０に出力する。検出器群５０から検出結果を受けたコントローラ６０は、その検出結果に基づいて、各ユニットを制御する。
【００４９】
搬送ユニット２０は、紙Ｓを印刷可能な位置に送り込み、印刷時に所定の方向（以下、搬送方向という）に所定の搬送量で紙Ｓを搬送させるためのものである。すなわち、搬送ユニット２０は、紙Ｓを搬送する搬送機構（搬送手段）として機能する。搬送ユニット２０は、給紙ローラ２１と、搬送モータ２２（ＰＦモータとも言う）と、搬送ローラ２３と、プラテン２４と、排紙ローラ２５とを有する。ただし、搬送ユニット２０が搬送機構として機能するためには、必ずしもこれらの構成要素を全て必要とするわけではない。
【００５０】
給紙ローラ２１は、紙挿入口に挿入された紙Ｓをプリンタ内に自動的に給紙するためのローラである。給紙ローラ２１は、Ｄ形の断面形状をしており、円周部分の長さは搬送ローラ２３までの搬送距離よりも長く設定されているので、この円周部分を用いて紙Ｓを搬送ローラ２３まで搬送できる。搬送モータ２２は、紙Ｓを搬送方向に搬送するためのモータであり、ＤＣモータにより構成される。搬送ローラ２３は、給紙ローラ２１によって給紙された紙Ｓを印刷可能な領域まで搬送するローラであり、搬送モータ２２によって駆動される。プラテン２４は、印刷中の紙Ｓを支持する。排紙ローラ２５は、印刷が終了した紙Ｓをプリンタの外部に排出するローラである。この排紙ローラ２５は、搬送ローラ２３と同期して回転する。
【００５１】
キャリッジユニット３０は、ヘッド４１を所定の方向に移動させるためのものである。キャリッジユニット３０は、キャリッジ３１と、キャリッジモータ３２（ＣＲモータとも言う）とを有する。キャリッジ３１は、キャリッジの移動方向に往復移動可能である。（これにより、ヘッド４１が所定の方向であるキャリッジの移動方向に沿って移動する。）また、キャリッジ３１は、インクを収容するインクカートリッジを着脱可能に保持している。キャリッジモータ３２は、キャリッジ３１をキャリッジの移動方向に移動させるためのモータであり、ＤＣモータにより構成される。
【００５２】
ヘッドユニット４０は、紙Ｓにインクを吐出するためのものである。ヘッドユニット４０は、ヘッド４１を有する。ヘッド４１は、インク吐出部であるノズルを複数有し、各ノズルから断続的にインクを吐出する。このヘッド４１は、キャリッジ３１に設けられている。そのため、キャリッジ３１がキャリッジの移動方向に移動すると、ヘッド４１もキャリッジの移動方向に移動する。そして、ヘッド４１がキャリッジの移動方向に移動中にインクを断続的に吐出することによって、キャリッジの移動方向に沿ったドットライン（ラスタライン）が紙Ｓに形成される。
【００５３】
検出器群５０には、リニア式エンコーダ５１、ロータリー式エンコーダ５２、紙検出センサ５３、および光学センサ５４等が含まれる。リニア式エンコーダ５１は、キャリッジ３１のキャリッジの移動方向の位置を検出するためのものである。ロータリー式エンコーダ５２は、搬送ローラ２３の回転量を検出するためのものである。
【００５４】
紙検出センサ５３は、印刷される紙Ｓの先端の位置を検出するためのものである。この紙検出センサ５３は、給紙ローラ２１が搬送ローラ２３に向かって紙Ｓを給紙する途中で、紙Ｓの先端の位置を検出できる位置に設けられている。なお、紙検出センサ５３は、機械的な機構によって紙Ｓの先端を検出するメカニカルセンサである。詳しく言うと、紙検出センサ５３は搬送方向に回転可能なレバーを有し、このレバーは紙Ｓの搬送経路内に突出するように配置されている。そのため、紙Ｓの先端がレバーに接触し、レバーが回転させられるので、紙検出センサ５３は、このレバーの動きを検出することによって、紙Ｓの先端の位置を検出する。
【００５５】
光学センサ５４は、キャリッジ３１に取付けられている。光学センサ５４は、発光部から紙Ｓに照射された光の反射光を受光部が検出することにより、紙Ｓの有無を検出する。そして、光学センサ５４は、キャリッジ４１によって移動しながら紙Ｓの端部の位置を検出する。光学センサ５４は、光学的に紙Ｓの端部を検出するため、機械的な紙検出センサ５３よりも、検出精度が高い。
【００５６】
コントローラ６０は、プリンタの制御を行うための制御ユニット（制御手段）である。コントローラ６０は、インターフェース部６１と、ＣＰＵ６２と、メモリ６３と、ユニット制御回路６４とを有する。  
インターフェース部６１は、外部装置であるコンピュータ１１０とプリンタ１との間でデータの送受信を行うためのものである。ＣＰＵ６２は、プリンタ全体の制御を行うための演算処理装置である。メモリ６３は、ＣＰＵ６２のプログラムを格納する領域や作業領域等を確保するためのものであり、ＲＡＭ、ＥＥＰＲＯＭ等の記憶手段を有する。ＣＰＵ６２は、メモリ６３に格納されているプログラムに従って、ユニット制御回路６４を介して各ユニットを制御する。
【００５７】
なお、上述では、媒体を紙Ｓとした場合のプリンタの構成について説明したが、媒体がＣＤ−Ｒである場合のプリンタの構成も同様である。ただし、ＣＤ−Ｒの場合には、図２０に示すように、ＣＤ−Ｒ８３をＣＤ−Ｒ搬送用トレイ９３に載せて搬送する。そして、ヘッド４１は、搬送されたＣＤ−Ｒの印刷面であるレーベル面にインクを吐出する。レーベル面８４は、ＣＤ−Ｒの種類が異なれば、レーベル面上のインクの滲み方や乾き方も異なるため、印刷に適したインク量も異なる。
【００５８】
＜＜＜印刷動作について＞＞＞
図７は、印刷時の処理のフロー図である。以下に説明される各処理は、コントローラ６０が、メモリ６３内に格納されたプログラムに従って、各ユニットを制御することにより実行される。このプログラムは、各処理を実行するためのコードを有する。
【００５９】
コントローラ６０は、コンピュータ１１０からインターフェース部６１を介して、印刷命令を受信する（Ｓ００１）。この印刷命令は、コンピュータ１１０から送信される印刷データのヘッダに含まれている。そして、コントローラ６０は、受信した印刷データに含まれる各種コマンドの内容を解析し、各ユニットを用いて、以下の給紙処理・搬送処理・インク吐出処理等を行う。
【００６０】
まず、コントローラ６０は、給紙処理を行う（Ｓ００２）。給紙処理とは、印刷すべき紙Ｓをプリンタ内に供給し、印刷開始位置（頭出し位置とも言う）に紙Ｓを位置決めする処理である。コントローラ６０は、給紙ローラ２１を回転させ、印刷すべき紙Ｓを搬送ローラ２３まで送る。コントローラ６０は、搬送ローラ２３を回転させ、給紙ローラ２１から送られてきた紙Ｓを印刷開始位置に位置決めする。紙Ｓが印刷開始位置に位置決めされたとき、ヘッド４１の少なくとも一部のノズルは、紙Ｓと対向している。
【００６１】
次に、コントローラ６０は、ドット形成処理を行う（Ｓ００３）。ドット形成処理とは、キャリッジの移動方向に沿って移動するヘッド４１からインクを断続的に吐出させ、紙Ｓ上にドットを形成する処理である。コントローラ６０は、キャリッジモータ３２を駆動し、キャリッジ３１をキャリッジの移動方向に移動させる。そして、コントローラ６０は、キャリッジ３１が移動している間に、印刷データに基づいてヘッド４１からインクを吐出させる。ヘッド４１から吐出されたインク滴が紙Ｓ上に着弾すれば、紙Ｓ上にドットが形成される。
【００６２】
次に、コントローラ６０は、搬送処理を行う（Ｓ００４）。搬送処理とは、紙Ｓをヘッド４１に対して搬送方向に沿って相対的に移動させる処理である。コントローラ６０は、搬送モータ２２を駆動し、搬送ローラ２３を回転させて紙Ｓを搬送方向に搬送する。この搬送処理により、ヘッド４１は、先ほどのドット形成処理によって形成されたドットの位置とは異なる位置に、ドットを形成することが可能になる。
【００６３】
次に、コントローラ６０は、印刷中の紙Ｓの排紙の判断を行う（Ｓ００５）。印刷中の紙Ｓに印刷するためのデータが残っていれば、排紙は行われない。そして、コントローラ６０は、印刷するためのデータがなくなるまでドット形成処理と搬送処理とを交互に繰り返し、ドットから構成される画像を徐々に紙Ｓに印刷する。印刷中の紙Ｓに印刷するためのデータがなくなれば、コントローラ６０は、その紙Ｓを排紙する。コントローラ６０は、排紙ローラ２５を回転させることにより、印刷した紙Ｓを外部に排出する。なお、排紙を行うか否かの判断は、印刷データに含まれる排紙コマンドに基づいても良い。
【００６４】
次に、コントローラ６０は、印刷を続行するか否かの判断を行う（Ｓ００６）。次の紙Ｓに印刷を行うのであれば、印刷を続行し、次の紙Ｓの給紙処理を開始する。次の紙Ｓに印刷を行わないのであれば、印刷動作を終了する。
【００６５】
＜＜＜ノズルについて＞＞＞
図８は、ヘッド４１の下面におけるノズルの配列を示す説明図である。ヘッド４１の下面には、ブラックインクノズル群Ｋと、シアンインクノズル群Ｃと、マゼンタインクノズル群Ｍと、イエローインクノズル群Ｙが形成されている。各ノズル群は、各色のインクを吐出するための吐出口であるノズルを複数個（本実施形態では１８０個）備えている。
【００６６】
各ノズル群の複数のノズルは、搬送方向に沿って、一定の間隔（ノズルピッチ：ｋ・Ｄ）でそれぞれ整列している。ここで、Ｄは、搬送方向における最小のドットピッチ（つまり、紙Ｓに形成されるドットの最高解像度での間隔）である。また、ｋは、１以上の整数である。例えば、ノズルピッチが１８０ｄｐｉ（１／１８０インチ）であって、搬送方向のドットピッチが７２０ｄｐｉ（１／７２０）である場合、ｋ＝４である。
【００６７】
各ノズル群のノズルは、下流側のノズルほど若い番号が付されている（♯１〜♯１８０）。つまり、ノズル♯１は、ノズル♯１８０よりも搬送方向の下流側に位置している。各ノズルには、各ノズルを駆動してインク滴を吐出させるための駆動素子としてピエゾ素子（不図示）が設けられている。また、光学センサ５４は、搬送方向の位置に関して、一番上流側にあるノズル♯１８０とほぼ同じ位置にある。
【００６８】
＝＝＝対応情報を記憶しているメモリについて＝＝＝
コンピュータ１１０に格納されているメモリＭには、媒体の種類と印刷モードとの対応関係を示す対応情報を含んでいるテーブルが記憶されている。このテーブルには、印刷される媒体が紙Ｓである場合のテーブルＴ１と、印刷される媒体がＣＤ−Ｒである場合のテーブルＴ２と、がある。そこで、対応情報を含んでいるテーブルＴについて、媒体が紙Ｓである場合と、媒体がＣＤ−Ｒである場合と、に分けて説明する。
【００６９】
＜＜＜媒体が紙Ｓである場合＞＞＞
まず、媒体が紙Ｓである場合のテーブルＴ１について、図９Ａを参照しつつ説明する。なお、図９Ａは、コンピュータ１１０に格納されているメモリＭに記憶されているテーブルであって、媒体が紙Ｓである場合の対応情報を含んだテーブルを示した図である。  
図９Ａには、紙Ｓとして、「普通紙」、「スーパーファイン紙」、「フォトプリント紙」等が示されている。また、印刷モードとして、「Ｍ３」、「Ｍ６」等が示されている。この場合、対応情報とは、例えば、「普通紙」と「Ｍ３」との対応関係を示すものである。なお、印刷モード「Ｍ３」、「Ｍ６」等の違いは、紙Ｓに印刷されるインク量が異なることである。すなわち、印刷モードに応じて、媒体に印刷する際に用いられるインク量が異なる。
【００７０】
＜＜＜媒体がＣＤ−Ｒである場合＞＞＞
次に、媒体がＣＤ−Ｒである場合のテーブルＴ２について、図９Ｂを参照しつつ説明する。なお、図９Ｂは、コンピュータ１１０に格納されているメモリＭに記憶されているテーブルであって、媒体がＣＤ−Ｒである場合の対応情報を含んだテーブルを示した図である。
【００７１】
ＣＤ−Ｒの種類を特定するのに、メーカー名、型番、容量、レーベル面の色が用いられる。図９Ｂには、メーカー名として、「甲」、「乙」、「丙」が示され、型番として、「Ａ１」、「Ａ２」、「Ｂ１」、「Ｃ１」等が示され、容量として、「６５０Ｍ」、「７００Ｍ」が示され、レーベル面の色として、「ホワイト」、「シルバー」が示されている。また、印刷モードとして、「Ｍ４」、「Ｍ５」等が示されている。この場合、対応情報とは、メーカー名が「甲」であり、型番が「Ａ１」であり、容量が「６５０Ｍ」であり、レーベル面の色が「ホワイト」であるＣＤ−Ｒと、印刷モード「Ｍ４」、との対応関係を示すものである。
【００７２】
プリンタドライバ１１６は、媒体の種類と印刷モードとの対応関係を示す対応情報を記憶しているメモリＭを参照し、印刷される媒体の種類に対応した印刷モードを選択し、選択された印刷モードに基づいて印刷データを生成する。例えば、プリンタドライバ１１６は、メーカー名が「甲」、型番が「Ａ３」、容量が「６５０Ｍ」、レーベル面の色が「シルバー」であるＣＤ−Ｒに対応した印刷モード「Ｍ６」に基づいて、印刷データを生成する。
【００７３】
＝＝＝媒体の印刷モードを設定するためのパターンについて＝＝＝
＜＜＜媒体に印刷されるテストパターン＞＞＞
媒体に印刷されるテストパターンについて、図１０Ａ、及び、図１０Ｂを参照しながら説明する。図１０Ａは、テストパターンが印刷されたＣＤ−Ｒ８３を示した図である。図１０Ｂは、テストパターンが印刷された紙Ｓを示した図である。
【００７４】
テストパターンは、コンピュータ１１０から送信される該テストパターンに対応する印刷データに基づいて、プリンタ１によってＣＤ−Ｒ８３や紙Ｓに印刷される。このテストパターンは、対応情報がテーブルＴに記憶されていない媒体の印刷モードを設定するためのものである。
【００７５】
ＣＤ−Ｒ８３や紙Ｓには、テストパターンとして、６つのサブパターン＃１、＃２、＃３、＃４、＃５、＃６が印刷されている。媒体がＣＤ−Ｒ８３の場合には、図１０Ａに示すように、６つのサブパターン＃１〜＃６が、ＣＤ−Ｒ８３のレーベル面に環状に印刷されている。すなわち、図１０に示すように、時計回りに、サブパターン＃１、＃２、＃３、＃４、＃５、＃６が印刷されている。一方、媒体が紙Ｓの場合には、図１０Ｂに示すように、６つのサブパターン＃１〜＃６が、紙Ｓの搬送方向に印刷されている。
【００７６】
また、サブパターン＃１〜＃６は、それぞれのサブパターンが媒体に印刷される際に用いられるインク量が異なる。すなわち、サブパターン＃１が媒体に印刷される際に用いられるインク量が一番多く、サブパターン＃２が媒体に印刷する際に用いられるインク量が二番目に多く、その後、サブパターン＃３、＃４、＃５、＃６になるにつれて、媒体に印刷される際に用いられるインク量が少なくなる。また、サブパターン＃１〜＃６は、一定の割合で、印刷される際に用いられるインク量が異なる。例えば、一つのサブパターンに対して、印刷される際に用いられる最大のインク量を１００％とした時に、サブパターン＃１が９０％、サブパターン＃２が７５％、サブパターン＃６が１５％というように、１５％間隔で印刷する際に用いられるインク量が異なる。
【００７７】
＜＜＜サブパターンと印刷モードとの対応関係を示す情報＞＞＞
サブパターンと印刷モードとの対応関係を示す情報について、図１１を参照しつつ説明する。図１１は、サブパターンと印刷モードとの対応関係を示す情報を含んでいるテーブルＴ３を示した図である。  
上記のテーブルＴ３は、コンピュータ１１０に格納されているメモリＭに記憶されている。なお、テーブルＴ３は、媒体がＣＤ−Ｒの場合のテーブルである。そのため、テーブルＴには、媒体が紙Ｓである場合のテーブルをさらに含んでいる。  
図１１に示すテーブルＴ３には、サブパターンとして、「＃１」、「＃２」等が示されている。また、テーブルＴ３には、印刷モードとして、「Ｍ６」、「Ｍ５」等が示されている。この場合、サブパターンと印刷モードとの対応関係を示す情報とは、例えば、サブパターン「＃１」と印刷モード「Ｍ６」との対応関係を示すものである。  
プリンタドライバ１１６は、対応情報がメモリＭに記憶されていない媒体の印刷モードを設定する際に、このテーブルＴ３を参照して、サブパターンに対応する印刷モードを選択する。例えば、プリンタドライバ１１６は、図１０に示すＣＤ−Ｒの印刷モードを設定する際に、サブパターン＃６に対応する印刷モードＭ１を選択する。
【００７８】
＝＝＝表示部に表示される画面について＝＝＝
表示装置１２０に表示される、テストパターン印刷実行画面、サブパターン選択画面、及び、入力画面について説明する。
【００７９】
＜＜＜テストパターン印刷実行画面＞＞＞
媒体にテストパターンの印刷を実行するか否かをユーザーに選択させるためのテストパターン印刷実行画面の一例について、図１２Ａ及び図１２Ｂを参照しつつ説明する。図１２Ａは、テストパターンの印刷実行を選択するための画面を示した図である。図１２Ｂは、テストパターンが印刷される媒体の形状を選択するための画面を示した図である。
【００８０】
図１２Ａに示す画面は、図３に示す画面において、移動可能なカーソル（不図示）を「ユーティリティ」上に移動させた状態で、マウス１３０Ｂをクリックすることによって、表示装置１２０に表示される。図１２Ａに示す画面には、プリントドライバ１１６に対して、テストパターンを媒体に印刷させることを認識させるための「印刷モード設定用テストパターン印刷」ボタン２００が表示されている。また、図１２Ａに示す画面には、その他に、例えば、ヘッド４１のクリーニングを実行させるための「ヘッドクリーニング」ボタン２０５が表示される。  
図１２Ｂに示す画面は、ユーザーが、図１２Ａに示す「印刷モード設定用テストパターン印刷」ボタン２００上にカーソルを移動させ、マウス１３０Ｂをクリックすることによって表示される。図１２Ｂに示す画面には、形状選択部２２０と、印刷実行ボタン２３０と、が表示されている。
【００８１】
形状選択部２２０は、テストパターンが印刷される媒体の形状を選択するためのものである。形状選択部２２０には、選択可能な媒体の形状の候補を表示させるためのプルダウンボタン２２１が設けられている。すなわち、ユーザーが、プルダウンボタン２２１上にカーソルを移動させ、マウス１３０Ｂをクリックすると、プリンタドライバ１１６は、形状選択部２２０に、媒体の形状の候補を表示させる。形状選択部２２０に表示される選択可能な媒体の形状の候補としては、例えば、「Ａ４」、「Ａ３」、「Ｂ４」、「ＣＤ−Ｒ」等である。そして、ユーザーが、形状選択部２２０に表示された候補上にカーソルを移動させ、マウス１３０Ｂをクリックすると、プリンタドライバ１１６は、該候補を形状選択部２２０に表示させる。本実施形態においては、「ＣＤ−Ｒ」が表示されている。
【００８２】
印刷実行ボタン２３０は、形状選択部２２０にて選択された媒体にテストパターンの印刷を実行させるためのものである。ユーザーが、印刷実行ボタン２３０上にカーソルを移動させ、マウス１３０Ｂをクリックすると、プリンタドライバ１１６は、プリンタ１に対して、形状選択部２２０にて選択された媒体へテストパターンを印刷させる印刷命令を送信するとともに、後述するサブパターン選択画面を表示装置１２０に表示させる。
【００８３】
＜＜＜サブパターン選択画面＞＞＞
媒体に印刷されたサブパターンに関する情報の中のいずれか一つのサブパターンに関する情報を、ユーザーに選択させるためのサブパターン選択画面の一例について、図１３を参照しつつ説明する。図１３は、表示装置１２０に表示されたサブパターン選択画面を示した図である。
【００８４】
サブパターン選択画面は、図１２Ｂに示すテストパターン印刷実行画面の印刷実行ボタン２３０上にカーソルを移動させ、マウス１３０Ｂをクリックすることによって、表示装置１２０に表示される。サブパターン選択画面には、サブパターン選択部２５０と、選択ボタン２６０とが表示されている。
【００８５】
サブパターン選択部２５０は、媒体に印刷されたサブパターンの中で、最適なサブパターンをユーザーに選択させるためのものである。そして、サブパターン選択部２５０には、サブパターンに関する情報（＃１、＃２等）と、該情報の中のいずれか一つの情報を選択するためのサブパターン選択ラジオボタンが表示されている。そして、ユーザーが該情報の中のいずれか一つの情報を選択すると、選択された情報に対応するボタンにマークが付される。本実施形態においては、＃６に対応するボタン上にマーク（図１３において、マーク●）が付されている。
【００８６】
選択ボタン２６０は、サブパターン選択部２５０で選択されたサブパターンが最適なサブパターンであることをコンピュータ１１０に認識させ、後述する入力画面を表示装置１２０に表示させるためのものである。すなわち、選択ボタン２６０上にカーソルを移動させ、マウス１３０Ｂをクリックすると、プリンタドライバ１１６は、サブパターン＃６が最適なサブパターンであると認識するとともに、図１４に示す画面を表示装置１２０に表示させる。
【００８７】
＜＜＜入力画面＞＞＞
テストパターンが印刷された媒体の種類に関する情報を、ユーザーに入力させるための入力画面について、図１４を参照しつつ説明する。図１４は、表示装置１２０に表示された入力画面を示した図である。
【００８８】
図１４に示す入力画面は、ＣＤ−Ｒの種類に関する情報を入力するための画面（以下、「ＣＤ−Ｒ入力画面」とも呼ぶ）である。一方、紙Ｓに関する情報を入力する画面（以下、「紙入力画面」とも呼ぶ）は、図１４に示す画面とは異なる。そのため、図１２Ｂに示す形状選択部２２０で選択された情報に基づいて、ＣＤ−Ｒ入力画面と紙入力画面とのいずれか一方が、入力画面として表示装置１２０に表示される。
【００８９】
図１４に示す入力画面には、メーカー名入力部３１０と、容量入力部３２０と、色入力部３３０と、型番入力部３４０とが表示されている。メーカー名入力部３１０は、テストパターンが印刷されたＣＤ−Ｒのメーカー名を入力するためのものである。容量入力部３２０は、テストパターンが印刷されたＣＤ−Ｒの容量を入力するためのものである。色入力部３３０は、テストパターンが印刷されたＣＤ−Ｒのレーベル面の色を入力するためのものである。型番入力部３４０は、テストパターンが印刷されたＣＤ−Ｒの型番を入力するためのものである。
【００９０】
ユーザーは、各入力部３１０、３２０、３０、３４０にて、キーボード１３０Ａを用いて、各情報を入力することができる。本実施形態においては、メーカー名として「甲」、容量として「７００」Ｍ、レーベル面の色として「ホワイト」、及び、型番として「Ａ７」が入力されている。
【００９１】
また、図１４に示す入力画面には、上記の各入力部３１０、３２０、３３０、３４０にて入力された情報をコンピュータ１１０に記憶させるための登録ボタン３５０が表示されている。すなわち、ユーザーが、登録ボタン３５０上にカーソルを移動させ、マウス１３０Ｂをクリックすると、コンピュータ１１０は、テストパターンが印刷されたＣＤ−Ｒを、メーカー名が「甲」であり、容量が「７００」Ｍであり、レーベル面の色が「ホワイト」であり、型番が「Ａ７」であるＣＤ−Ｒと記憶する。
【００９２】
＝＝＝サブパターンの検査について＝＝＝
前述したサブパターン選択画面にて選択されるサブパターンは、ユーザーが、媒体に印刷されたサブパターンの中から、最適なサブパターンを目視にて選ぶ。しかし、以下において、説明する検査をすれば、より最適なサブパターンを選ぶことが可能となる。  
そこで、媒体に印刷されたサブパターンの検査について、ローラ痕によるサブパターンの検査、インクの滲みによるサブパターンの検査、及び、インクの凝集によるサブパターンの検査に分けて説明する。
【００９３】
＜＜＜ローラ痕によるサブパターンの検査＞＞＞
まず、ローラ痕によるサブパターンの検査について、図１５を参照しつつ説明する。図１５は、ローラ痕によるサブパターンの検査を説明するための模式図である。
【００９４】
ローラ痕によるサブパターンの検査とは、ローラ９５をサブパターンが印刷されたＣＤ−Ｒ上を図１５に示す矢印の方向に転がせ、サブパターン上のローラ痕の有無を検査することである。  
そして、サブパターン上にローラ痕が有る場合には、サブパターンを形成するのに用いられているインクが十分にレーベル面に吸収されていないことを示す。一方、サブパターン上にローラ痕が無い場合には、サブパターンを形成するのに用いられているインクが十分にレーベル面に吸収されたことを示す。そのため、最適なサブパターンとしては、サブパターン上にローラ痕が無いものが望ましい。  
このように、サブパターンが印刷されたＣＤ−Ｒ上をローラ９５が転がった際の、サブパターン上のローラ痕の有無を検査することにより、最適なサブパターンを選択することが可能となる。
【００９５】
＜＜＜インクの滲みによるサブパターンの検査＞＞＞
次に、インクの滲みによるサブパターンの検査ついて、図１６Ａ及び図１６Ｂを参照しつつ説明する。図１６Ａは、インクの滲みが発生していないサブパターンを示した模式図である。図１６Ｂは、インクの滲みが発生したサブパターンを示した模式図である。
【００９６】
上述したサブパターンは、二つの接する領域（図１６Ａに示す領域Ａと領域Ｂ）から形成されている。そして、領域Ａと領域Ｂとは、それぞれ異なるインクを用いて印刷されている。例えば、領域Ａは、シアンインクを用いて印刷され、領域Ｂは、マゼンタインクを用いて印刷されている。  
そして、サブパターンを形成するのに用いられているインクがレーベル面に対してインクが十分に吸収されている場合には、図１６Ａに示すように、領域Ａと領域Ｂとの間の境界部に、インクの滲みは発生しない。一方、サブパターンを形成するのに用いられているインクがレーベル面に対してインクが十分に吸収されていない場合には、図１６Ｂに示すように、領域Ａと領域Ｂとの間の境界部に、インクの滲み（図１６Ｂに示すＸ）が発生する。そのため、最適なサブパターンとしては、領域Ａと領域Ｂとの間の境界部に、図１６Ａに示すように、インクの滲みが発生しないものが望ましい。  
このように、領域Ａと領域Ｂとの境界部のインクの滲みを検査することにより、ユーザーは最適なサブパターンを選択することが可能となる。
【００９７】
＜＜＜インクの凝集によるサブパターンの検査＞＞＞
次に、インクの凝集によるサブパターンの検査ついて、図１７Ａ及び図１７Ｂを参照しつつ説明する。図１７Ａは、インクの凝集が発生していない状態を示した模式図である。図１７Ｂは、インクの凝集が発生した状態を示した模式図である。
【００９８】
サブパターンを形成するのに用いられているインクがレーベル面に対してインクが十分に吸収されている場合には、図１７Ａに示すように、インクがそれぞれ独立して媒体上にあり、インクの凝集は発生しない。一方、サブパターンを形成するのに用いられているインクがレーベル面に対してインクが十分に吸収されていない場合には、図１７Ｂに示すように、いくつかのインクがくっついて、インクの凝集（図１７Ｂに示すＹ）が発生する。そのため、最適なサブパターンとしては、図１７Ａに示すように、インクの凝集が発生していないものが望ましい。
【００９９】
このように、ＣＤ−Ｒに印刷されたサブパターン上のインクの凝集を検査することにより、最適なサブパターンを選択することが可能となる。  
最適なサブパターン選択する際には、上記のすべての検査を行うこととしても良いし、上記の検査のなかのいずれか一つを行ってもよい。なお、サブパターンの検査としては、上記のものに限定されない。例えば、サブパターンが印刷された媒体上に検査用部材を載せ、さらに検査用部材の上に分銅等のおもりを所定時間載せた後に、検査用部材を持ち上げた際に、ＣＤ−Ｒがくっついて持ち上げられるかをみる検査もある。この検査によれば、インクが十分に乾いているかを調べることができる。
【０１００】
＝＝＝印刷制御装置の動作について＝＝＝
対応情報がメモリＭに記憶されていない媒体の対応情報をメモリＭに記憶させる際のコンピュータ１１０の動作について、図１８を参照しつつ説明する。なお、コンピュータ１１０内のプリンタドライバ１１６が、以下の動作を実行している。図１８は、印刷制御装置の動作例を説明するためのフロー図である。
【０１０１】
プリンタドライバ１１６は、コンピュータ本体のＣＰＵやメモリ等のハードウェア資源を活用し、以下の説明する処理を実行する。つまり、以下に説明する処理をコンピュータ本体に実行させるためのプログラムを備えている。
【０１０２】
初めに、プリンタドライバ１１６は、ビデオドライバ１１２を介して、表示装置１２０に図３に示すインターフェースを表示させる（ステップＳ１０２）。そして、ユーザーが、図３に示す画面の「ユーティリティ」上にカーソルを移動させ、マウス１３０Ｂをクリックすると、プリンタドライバ１１６は、図１２Ａに示すテストパターンの印刷を実行するための画面を表示装置１２０に表示させる（ステップＳ１０４）。
【０１０３】
次に、ユーザーが、図１２Ａに示す画面上の「印刷モード設定用テストパターン印刷」ボタン２００上にカーソルを移動させ、マウス１３０Ｂをクリックすると、プリンタドライバ１１６は、図１２Ｂに示す媒体の形状を選択するための画面を表示させる（ステップＳ１０６）。  
そして、ユーザーが、図１２Ｂに示すように、印刷される媒体としてＣＤ−Ｒを選択し、印刷実行ボタン２３０上にカーソルを移動させ、マウス１３０Ｂをクリックすると、プリンタドライバ１１６は、印刷される媒体の形状がＣＤ−Ｒであると認識し、テストパターンをＣＤ−Ｒに印刷させるための印刷データをプリンタ１に送信する（ステップＳ１０８）。そして、印刷データを受信したプリンタ１は、ＣＤ−Ｒにテストパターンを印刷する。
【０１０４】
次に、プリンタドライバ１１６は、ＣＤ−Ｒに印刷されたテストパターンの中から最適なサブパターンをユーザーに選択させるための画面を表示装置１２０に表示させる（ステップ１１０）。すなわち、プリンタドライバ１１６は、図１３に示すサブパターン選択画面を表示装置１２０に表示させる。  
そして、ユーザーが、目視や上記の検査等により、最適なサブパターンを選び、サブパターン選択部２５０で該サブパターンに対応する情報を選択し、選択ボタン２６０上にカーソルを移動させ、マウス１３０Ｂがクリックされると、プリンタドライバ１１６は、最適なサブパターンを記憶する（ステップＳ１１２）。すなわち、プリンタドライバ１１６は、ユーザーによって選択された最適なサブパターンがサブパターン＃６であると記憶する。
【０１０５】
次に、プリンタドライバ１１６は、テストパターンが印刷されたＣＤ−Ｒの種類に関する情報をユーザーに入力させるための画面を表示装置１２０に表示させる（ステップＳ１１４）。すなわち、プリンタドライバ１１６は、図１４に示す入力画面を表示装置１２０に表示させる。  
そして、ユーザーが、入力画面上で、各入力部３１０、３２０、３３０、３４０に情報を入力し、登録ボタン３５０上にカーソル移動させ、マウス１３０Ｂをクリックすると、プリンタドライバ１１６は、テストパターンが印刷されたＣＤ−Ｒの種類を記憶する（ステップＳ１１６）。すなわち、プリンタドライバ１１６は、テストパターンが印刷されたＣＤ−Ｒを、メーカー名が「甲」で、容量が「７００」で、レーベル面の色が「ホワイト」で、型番が「Ａ７」であるＣＤ−Ｒと記憶する。
【０１０６】
次に、プリンタドライバ１１６は、サブパターンと印刷モードとの対応関係を示す情報を記憶しているメモリＭを参照し、最適なサブパターンに対応する印刷モードを選択し、印刷されるＣＤ−Ｒの印刷モードを設定する（ステップＳ１１８）。すなわち、プリンタドライバ１１６は、図１１に示すテーブルＴ３を参照して、ＣＤ−Ｒの印刷モードを、最適なサブパターン＃６に対応する印刷モードをＭ１と設定する。
【０１０７】
次に、プリンタドライバ１１６は、印刷されるＣＤ−Ｒの対応情報をメモリＭに記憶させる（ステップＳ１２０）。すなわち、プリンタドライバ１１６は、入力画面にて入力されたＣＤ−Ｒの種類に関する情報と、サブパターン選択画面にて選択されたサブパターンに対応する印刷モードと、の対応関係を示す対応情報をメモリＭに記憶させる。すると、メモリＭには、図１９に示すように、メーカー名が「甲」で、型番が「Ａ７」で、容量が「７００Ｍ」で、レーベル面の色が「ホワイト」であるＣＤ−Ｒと、印刷モード「Ｍ１」と、の対応関係を示す対応情報が、記憶される。  
そして、メモリＭに記憶された該対応情報中の媒体の種類に関する情報が、前述したユーザインターフェース上に表示される。媒体が紙Ｓである場合には、該紙Ｓの種類に関する情報が、図３に示す画面に表示される。媒体がＣＤ−Ｒの場合には、該ＣＤ−Ｒの種類に関する情報が、不図示のＣＤ−Ｒ選択画面に表示される。そのため、次回の印刷の際に、これらの画面で、媒体を選択することができる。
【０１０８】
こうして、プリンタドライバ１１６は、対応情報がメモリＭに記憶されていない媒体の対応情報をメモリＭに記憶させるための一連の動作を終了する。
【０１０９】
＝＝＝テストパターンを媒体に印刷することによる効果＝＝＝
上述したように、コンピュータ１１０は、対応情報がメモリＭに記憶されていない媒体の印刷モードを設定するためのテストパターンを、媒体に印刷する。このことにより、対応情報がメモリＭに記憶されていない媒体の最適な印刷モードを設定することが可能となる。以下において、詳細に説明する。
【０１１０】
従来、対応情報がメモリＭに記憶されているＣＤ−Ｒに印刷する場合には、プリンタドライバ１１６は、メモリＭに記憶されている対応情報中の印刷モードに基づいて印刷データを生成する。一方、対応情報がメモリＭに記憶されていないＣＤ−Ｒに印刷する場合には、プリンタドライバ１１６は、所定の印刷モードに基づいて印刷データを生成する。
【０１１１】
しかしながら、この所定の印刷モードが、ＣＤ−Ｒにとって最適な印刷モードでないことがある。例えば、対応情報がメモリＭに記憶されていないＣＤ−Ｒが、インク量が多い印刷モード（例えば、印刷モードＭ６）に対応できても、コンピュータ１１０は、該ＣＤ−Ｒを、所定の印刷モード（例えば、印刷モードＭ３）に設定してしまう。また、対応情報がメモリＭに記憶されていないＣＤ−Ｒが、インク量が少ない印刷モード（例えば、印刷モードＭ１）に対応するのに、コンピュータ１１０は、該ＣＤ−Ｒを、所定の印刷モード（例えば、印刷モードＭ３）に設定してしまう。
【０１１２】
そして、上記のような最適でない印刷モードに基づいて、プリンタドライバ１１６が印刷データを生成してしまうと、ＣＤ−Ｒの最適な印刷品質を得ることが困難となる。すなわち、印刷モードＭ６に対応するＣＤ−Ｒに、所定の印刷モードＭ３に基づいて印刷データを生成すると、ＣＤ−Ｒに低品質の画像が印刷されてしまう。また、印刷モードＭ１に対応するＣＤ−Ｒに、所定の印刷モードＭ３に基づいて印刷データを生成すると、ＣＤ−Ｒ上にインクの滲み等が発生してしまう。
【０１１３】
そこで、コンピュータ１１０は、対応情報がメモリＭに記憶されていないＣＤ−Ｒの印刷モードを設定するためのテストパターンを、ＣＤ−Ｒに印刷することとする。すると、図１３に示すように、ＣＤ−Ｒに印刷されたテストパターンの中から最適なサブパターンを選択することによって、該ＣＤ−Ｒの最適な印刷モードを設定することが可能となる。この場合、印刷モードＭ６に対応するＣＤ−Ｒには、印刷モードＭ６に基づいて印刷データが生成され、印刷モードＭ１に対応するＣＤ−Ｒには、印刷モードＭ１に基づいて印刷データが生成さるので、最適な印刷品質を得ることが可能となる。
【０１１４】
以上より、ＣＤ−Ｒに印刷されたテストパターンを基に、ＣＤ−Ｒの最適な印刷モードを決定することができるから、対応情報がメモリＭに記憶されていないＣＤ−Ｒの最適な印刷モードを設定することが可能となる。
【０１１５】
＝＝＝その他の実施形態＝＝＝
以上、上記実施の形態に基づき本発明に係る印刷制御システム等を説明したが、上記した発明の実施の形態は、本発明の理解を容易にするためのものであり、本は発明を限定するものではない。本発明は、その趣旨を逸脱することなく、変更、改良され得ると共に、本発明にはその等価物が含まれることはもちろんである。
【０１１６】
本発明は、媒体（例えば、ＣＤ−Ｒ）の種類と印刷方式（例えば、印刷モード）との対応関係を示す対応情報を記憶するメモリ（例えば、メモリＭ）と、前記メモリを参照し、印刷される媒体の種類に対応した前記印刷方式を選択し、選択された前記印刷方式に基づいて印刷データを生成する印刷データ生成部（例えば、プリンタドライバ１１６）と、を備えている印刷制御装置（例えば、コンピュータ１１０）において、前記対応情報が前記メモリに記憶されていない媒体の前記印刷方式を設定するためのパターン（例えば、テストパターン）を、当該媒体に印刷することを特徴とする印刷制御装置に関するものである。
【０１１７】
なお、上記の実施形態において、印刷装置としてインクジェットプリンタを用いたが、媒体に印刷処理できる印刷装置であれば、これに限定されることなく、例えば、モノクロプリンタ、レーザープリンタ、ファクシミリ等に適用しても良い。
【０１１８】
さらに、上記の実施形態において、印刷モードに応じて、ＣＤ−Ｒに印刷する際に用いられるインク量が異なることとしたが、これに限定されるものではない。  
例えば、印刷モードに応じて、ＣＤ−Ｒに印刷する際の印刷速度が異なることとしてもよい。  
ただし、ＣＤ−Ｒ毎に、印刷面であるレーベル面のインクの吸収性が異なることが多いため、最適なインク量も異なる場合が多い。そのため、印刷モードに応じて、ＣＤ−Ｒに印刷する際に用いられるインク量が異なる場合には、ＣＤ−Ｒにとって最適なインク量の印刷モードを設定することが可能となる。  
従って、上記の実施形態の方がより望ましい。
【０１１９】
さらに、上記の実施形態において、パターンは、複数あり、それぞれのサブパターンを媒体に印刷する際に用いられるインクの量が異なることとしたが、これに限定されるものではない。  
例えば、パターンは、一つであることとしてもよい。また、それぞれのサブパターンを媒体に印刷する際に用いられるインク量が同じであることとしてもよい。  
ただし、パターンが複数あり、それぞれのサブパターンを媒体に印刷する際に用いられるインクの量が異なる場合には、インクの量が異なる複数のサブパターンの中から、最適な印刷モードに対応するサブパターンを選ぶことができる。  
従って、上記の実施形態の方がより望ましい。
【０１２０】
さらに、上記の実施形態において、ＣＤ−Ｒにテストパターンの印刷を実行するか否かをユーザーに選択させるためのテストパターン印刷実行画面（例えば、図１２Ａや図１２Ｂ）を表示する表示部（例えば、表示装置１２０）を備えていることとしたが、これに限定されるものではない。  
例えば、表示装置１２０は、ＣＤ−Ｒにテストパターンの印刷を実行するか否かをユーザーに選択させるための画面を表示しないこととしてもよい。  
ただし、コンピュータ１１０が、テストパターン印刷実行画面（例えば、図１２Ａや図１２Ｂ）表示する表示装置１２０を備えている場合には、ユーザーにＣＤ−Ｒへのテストパターンの印刷の実行を簡単に選択させることができる。  
従って、上記の実施形態の方がより望ましい。
【０１２１】
さらに、上記の実施形態において、表示装置１２０は、ＣＤ−Ｒに印刷されたサブパターンに関する情報の中のいずれかひとつのサブパターンに関する情報を、ユーザーに選択させるためのサブパターン選択画面（例えば、図１３に示す画面）を表示することとしたが、これに限定されるものではない。  
例えば、表示装置１２０は、サブパターン選択画面を表示しないこととしてもよい。  
ただし、表示装置１２０が、サブパターン選択画面（例えば、図１３に示す画面）を表示する場合には、ＣＤ−Ｒに印刷された複数のサブパターンの中の最適なサブパターンを、ユーザーに選択させることが可能となる。  
従って、上記の実施形態の方がより望ましい。
【０１２２】
さらに、上記の実施形態において、表示装置１２０は、テストパターンが印刷されたＣＤ−Ｒの種類に関する情報を、ユーザーに入力させるための入力画面（例えば、図１４に示す画面）を表示することとしたが、これに限定されるものではない。  
例えば、表示装置１２０は、入力画面を表示しないこととしてもよい。  
ただし、表示装置１２０が、入力画面（例えば、図１４に示す画面）を表示する場合には、テストパターンが印刷されたＣＤ−Ｒの種類と、印刷されたテストパターンの中で最適なサブパターンと、の対応関係を関連付けることが可能となる。  
従って、上記の実施形態の方がより望ましい。
【０１２３】
さらに、上記の実施形態において、メモリＭは、サブパターンと印刷モードとの対応関係を示す情報をさらに記憶し、メモリＭを参照して、サブパターン選択画面（例えば、図１３に示す画面）にて選択されたサブパターンに対応する印刷モードを設定することとしたが、これに限定されるものではない。  
例えば、テーブルは、サブパターンと印刷モードとの対応関係を示す情報を記憶していないこととしてもよい。  
ただし、メモリＭは、サブパターンと印刷モードとの対応関係を示す情報をさらに記憶し、メモリＭを参照して、サブパターン選択画面（例えば、図１３に示す画面）にて選択されたサブパターンに対応する印刷モードを設定する場合には、メモリＭを参照して、サブパターン選択画面にて選択されたサブパターンに対応する印刷モードを設定するから、対応情報がメモリＭに記憶されていないＣＤ−Ｒの印刷モードをより容易に設定することができる。  
従って、上記の実施形態の方がより望ましい。
【０１２４】
さらに、上記の実施形態において、入力画面（例えば、図１４に示す画面）にて入力されたＣＤ−Ｒの種類に関する情報と、サブパターン選択画面（例えば、図１３に示す画面）にて選択されたサブパターンに対応する印刷モードと、の対応関係を示す対応情報（以下、「選択対応情報」とも呼ぶ）を、メモリＭに記憶することとしたが、これに限定されるものではない。  
例えば、選択対応情報を、メモリＭに記憶しないこととしてもよい。  
ただし、選択対応情報を、メモリＭに記憶する場合には、一度、選択対応情報をメモリＭに記憶すれば、再度、ＣＤ−Ｒにテストパターンを印刷する必要がなくなる。  
従って、上記の実施形態の方がより望ましい。
【０１２５】
さらに、上記の実施形態において、選択対応情報は、表示装置１２０に表示されることとしたが、これに限定されるものではない。  
例えば、選択対応情報は、表示装置１２０に表示されないこととしてもよい。  
ただし、選択対応情報は、表示装置１２０に表示される場合には、選択対応情報がテーブルＴに記憶されていることを、ユーザーに知らせることができる。  
従って、上記の実施形態の方がより望ましい。
【０１２６】
さらに、上記の実施形態において、記憶媒体は、ＣＤ−ＲＯＭ（例えば、ＣＤ−Ｒ）であることとしたが、これに限定されるものではない。  
例えば、記憶媒体は、ＤＶＤ（Digital Versatile Disk）であることとしてもよい。
【０１２７】
さらに、上記の実施形態において、サブパターンは複数あり、サブパターンは、ＣＤ−Ｒのレーベル面に環状に印刷されることとしたが、これに限定されるものではない。  
例えば、サブパターンは、環状以外で、印刷されることとしてもよい。  
ただし、ＣＤ−Ｒの形状は円形であるから、サブパターンがＣＤ−Ｒのレーベル面に環状に印刷される場合には、印刷面を有効に活用することができる。  
従って、上記の実施形態の方がより望ましい。
【図面の簡単な説明】
【０１２８】
【図１】印刷システムの外観構成を示した説明図である。
【図２】プリンタドライバが行う基本的な処理の概略的な説明図である。
【図３】プリンタドライバのユーザーインターフェースの説明図である。
【図４】本実施形態のプリンタの全体構成のブロック図である。
【図５】本実施形態のプリンタの全体構成の概略図である。
【図６】本実施形態のプリンタの全体構成の横断面図である。
【図７】印刷時の処理のフロー図である。
【図８】ヘッド４１の下面におけるノズルの配列を示す説明図である。
【図９】図９Ａは、コンピュータ１１０に格納されているメモリＭに記憶されているテーブルであって、媒体が紙Ｓである場合の対応情報を含んだテーブルを示した図である。図９Ｂは、コンピュータ１１０に格納されているメモリＭに記憶されているテーブルであって、媒体がＣＤ−Ｒである場合の対応情報を含んだテーブルを示した図である。
【図１０】図１０Ａは、テストパターンが印刷されたＣＤ−Ｒ８３を示した図である。図１０Ｂは、テストパターンが印刷された紙Ｓを示した図である。
【図１１】サブパターンと印刷モードとの対応関係を示す情報を含んでいるテーブルを示した図である。
【図１２】図１２Ａは、テストパターンの印刷実行を選択するための画面を示した図である。図１２Ｂは、テストパターンが印刷される媒体の形状を選択するための画面を示した図である。
【図１３】表示装置１２０に表示されたサブパターン選択画面を示した図である。
【図１４】表示装置１２０に表示された入力画面を示した図である。
【図１５】ローラ痕によるサブパターンの検査を説明するための模式図である。
【図１６】図１６Ａは、インクの滲みが発生していないサブパターンを示した模式図である。図１６Ｂは、インクの滲みが発生したサブパターンを示した模式図である。
【図１７】図１７Ａは、インクの凝集が発生していない状態を示した模式図である。図１７Ｂは、インクの凝集が発生した状態を示した模式図である。
【図１８】印刷制御装置の動作例を説明するためのフロー図である。
【図１９】対応情報が追加されたテーブルを示した図である。
【図２０】本実施形態のプリンタの全体構成の概略図である。
【符号の説明】
【０１２９】
１  プリンタ
２０  搬送ユニット                      ２１  給紙ローラ
２２  搬送モータ（ＰＦモータ）          ２３  搬送ローラ
２４  プラテン                          ２５  排紙ローラ
３０  キャリッジユニット                ３１  キャリッジ
３２  キャリッジモータ（ＣＲモータ）
４０  ヘッドユニット                    ４１  ヘッド
５０  検出器群                          ５１  リニア式エンコーダ
５２  ロータリー式エンコーダ            ５３  紙検出センサ
５４  光学センサ
６０  コントローラ                      ６１  インターフェース部
６２  ＣＰＵ                            ６３  メモリ
６４  ユニット制御回路
８３  ＣＤ−Ｒ                          ８４  レーベル面
９３  ＣＤ−Ｒ搬送用トレイ              ９５  ローラ
１００  印刷システム                    １１０  コンピュータ
１１２  ビデオドライバ                  １１４  アプリケーションプログラム
１１６  プリンタドライバ
１２０  表示装置                        １３０  入力装置
１３０Ａ  キーボード                    １３０Ｂ  マウス
１４０  記録再生装置
１４０Ａ  フレキシブルディスクドライブ装置
１４０Ｂ  ＣＤ−ＲＯＭドライブ装置
２２０  形状選択部                      ２２１  プリダウンボタン
２３０  印刷実行ボタン                  ２５０  サブパターン選択部
２６０  選択ボタン
３１０  メーカー名入力部                ３２０  容量入力部
３３０  色入力部                        ３４０  型番入力部
３５０  登録ボタン
【図１】
2005138553.tif 000003
【図２】
2005138553.tif 000004
【図３】
2005138553.tif 000005
【図４】
2005138553.tif 000006
【図５】
2005138553.tif 000007
【図６】
2005138553.tif 000008
【図７】
2005138553.tif 000009
【図８】
2005138553.tif 000010
【図９】
2005138553.tif 000011
【図１１】
2005138553.tif 000012
【図１２】
2005138553.tif 000013
【図１３】
2005138553.tif 000014
【図１４】
2005138553.tif 000015
【図１６】
2005138553.tif 000016
【図１７】
2005138553.tif 000017
【図１８】
2005138553.tif 000018
【図１９】
2005138553.tif 000019
【図２０】
2005138553.tif 000020
【図１０】
2005138553.tif 000021
【図１５】
2005138553.tif 000022